(57)【要約】【課題】  耳介への装着性を良好にしたうえで、装着感も良好であるイヤホンの提供。【解決手段】  ドライバユニットが内装されるハウジングと、外耳道に挿入され弾力性を有するイヤピースが一体または別体に設けられる音導管とを備え、音導管はハウジングの軸心方向一方の側方面から突設するよう配置され、ハウジングおよび音導管の軸心どうしは略平行で、且つ音導管の軸心は、ハウジングの軸心方向に直交する前後方向において、ハウジングの軸心に対し前方側へ位置ずれされるとともに、ハウジングの軸心に対し下方側へも位置ずれされ、ハウジングの、音導管を配置した反対側である他方の側方面に、ハウジングの前方側に位置するほどハウジングに近付く方向に傾斜する傾斜面が形成されているイヤホン。【選択図】  図１
2015082824.tif 000002
【特許請求の範囲】
【請求項１】
ドライバユニットが内装されるハウジングと、外耳道に挿入され弾力性を有するイヤピースが一体または別体に設けられる音導管とを備え、
音導管はハウジングの軸心方向一方の側方面から突設するよう配置され、
ハウジングおよび音導管の軸心どうしは略平行で、且つ音導管の軸心は、ハウジングの軸心方向に直交する前後方向において、ハウジングの軸心に対し前方側へ位置ずれされ、
ハウジングの、音導管を配置した反対側である他方の側方面に、ハウジングの前方側に位置するほどハウジングに近付く方向に傾斜する傾斜面が形成されていることを特徴とするイヤホン。
【請求項２】
音導管の軸心は、ハウジングの軸心に対し下方側へも位置ずれされている請求項１記載のイヤホン。
【請求項３】
傾斜面は、ハウジングから突設して設けられてコードを垂下するよう支持する支持部の、外側の側方面である請求項１または請求項２の何れか１項に記載のイヤホン。
【請求項４】
支持部の軸心がハウジングの軸心に対して傾斜して配置されている請求項３記載のイヤホン。
【請求項５】
傾斜面は支持部の軸心に対して略直交する面である請求項３または請求項４の何れか１項に記載のイヤホン。
【請求項６】
傾斜面は文字図柄等が表示可能な表示面である請求項１ないし請求項５の何れか１項に記載のイヤホン。
【発明の詳細な説明】
【技術分野】
【０００１】
本発明は、電子機器端末等に接続されて、ユーザーの耳介に装着されるイヤホンに関する。
【背景技術】
【０００２】
従来、この種のイヤホンとして、下記特許文献１に記載された技術が提案されている。特許文献１に記載されたイヤホンは、ドライバユニットを有するハウジングと、ハウジングに突設した状態で取り付けられた音導管とを備えている。音導管は、ハウジングの中心線（中心位置）に対し位置ずれしており、音導管は、その先端部分をハウジングの中心線から離れる方向に向けるよう、ハウジングの中心線に対し傾斜するよう設けられている。音導管には弾性力を有するイヤピースが装着される。
【先行技術文献】
【特許文献】
【０００３】
【特許文献１】特開２００７−１８９４６８号公報
【発明の概要】
【発明が解決しようとする課題】
【０００４】
特許文献１に記載されたイヤホンを耳介に装着するには、イヤホンを手指で摘んで、イヤピースを外耳道に沿うよう耳甲介腔から挿入する。これによってイヤピースが外耳道に沿って挿入されるとともに、ハウジングが耳甲介腔にしっくり装着される。
【０００５】
しかしながら、特許文献１に記載されたイヤホンでは、装着感は良好になったとしても、イヤホンを装着するための操作性は考慮されていない。具体的には、ユーザーは、イヤピースを外耳道に沿わすよう、イヤピースを外耳道方向に意識的に挿入する必要があり、しかしユーザーにとって、イヤホンを手指で摘んで耳甲介腔という狭い領域で行う操作はしにくい。
【０００６】
そこで本発明は、耳介への装着性を良好にしたうえで、装着感も良好であるイヤホンの提供を目的とする。
【課題を解決するための手段】
【０００７】
本発明のイヤホンは、ドライバユニットが内装されるハウジングと、外耳道に挿入され弾力性を有するイヤピースが一体または別体に設けられる音導管とを備え、音導管はハウジングの軸心方向一方の側方面から突設するよう配置され、ハウジングおよび音導管の軸心どうしは略平行で、且つ音導管の軸心は、ハウジングの軸心方向に直交する前後方向において、ハウジングの軸心に対し前方側へ位置ずれされ、ハウジングの、音導管を配置した反対側である他方の側方面に、ハウジングの前方側に位置するほどハウジングに近付く方向に傾斜する傾斜面が形成されたことを特徴とする。
【０００８】
上記構成において、ハウジングおよび音導管の軸心どうしは略平行で、且つ音導管の軸心は、ハウジングの軸心方向に直交する前後方向において、ハウジングの軸心に対し前方側へ位置ずれされており、傾斜面は、耳介の前方側ほどハウジングに近付く方向に傾斜していることで、音導管に装着したイヤピースを外耳道に位置合わせして、耳甲介腔からある程度だけ外耳道に挿入し、傾斜面を内側へ向けて手指で押圧すると、傾斜面が押圧される力がイヤピースに伝わってイヤピースが外耳道の方向に沿うよう回動しつつ導かれ、これに伴って傾斜面が前後方向に沿うよう回動することで、イヤピースが外耳道に挿入される。
【０００９】
また、ハウジングおよび音導管の軸心どうしは略平行で、且つ音導管の軸心は、ハウジングの軸心方向に直交する前後方向において、ハウジングの軸心に対し前方側へ位置ずれされていることで、ハウジングを耳甲介腔に広がるように大型化しても装着の邪魔にならずに違和感がなく、ハウジングに内装するドライバユニットもハウジングに応じて大型化でき、音響的に良質なイヤホンが達成できる。
【００１０】
本発明のイヤホンでは、音導管の軸心は、ハウジングの軸心に対し下方側へも位置ずれされた構成を採用できる。この構成によれば、外耳道は耳甲介腔の前方且つ下方に位置しているから、イヤホンが、ユーザーの耳介における耳甲介腔から外耳道の空間にしっくり嵌り易く、装着感も良好である。
【００１１】
本発明のイヤホンでは、傾斜面は、ハウジングから突設して設けられてコードを垂下するよう支持する支持部の、外側の側方面である構成を採用できる。この構成によれば、支持部はハウジングから突設しており、傾斜面はその外側の側方面であることから、ユーザーは耳甲介腔の外側で傾斜面を押圧可能である。
【００１２】
本発明のイヤホンでは、支持部の軸心がハウジングの軸心に対して傾斜して配置された構成を採用できる。この構成のように、支持部の軸心をハウジングの軸心に対して傾斜させることで、イヤホンを耳介に装着した際に、支持部は耳甲介腔に接しにくい状態とすることが可能となり、耳甲介腔から側方に向けて突出することから、装着感が良好である。
【００１３】
本発明のイヤホンでは、傾斜面は支持部の軸心に対して略直交する面である構成を採用できる。上記構成において、音導管に装着したイヤピースを外耳道に位置合わせして、耳甲介腔からある程度だけ外耳道に挿入し、傾斜面を内側へ向けて手指で押圧すると、傾斜面が押圧される力がイヤピースに伝わってイヤピースが外耳道の方向に沿うよう回動しつつ導かれ、これに伴って傾斜面が前後方向に沿うよう回動することで、イヤピースが外耳道に挿入される。
【００１４】
傾斜面は文字図柄等が表示可能な表示面である構成を採用できる。この構成によれば、表示面に文字図柄等を表示でき、しかも支持部は耳甲介腔から側方に向けて突出することから、表示面の文字図柄等を目立たせることができる。
【発明の効果】
【００１５】
本発明のイヤホンのように、ハウジングの、音導管を配置した反対側である他方の側方面に、耳介の前方側ほどハウジングに近付く方向に傾斜する傾斜面が形成された構成によれば、イヤホンの耳介への装着の際に、耳甲介腔という狭い領域での装着操作を回避できるから、イヤホンを耳介へ容易に装着でき、音導管は、ハウジングに対して耳介の前方側へ位置ずれして配置されていることで、イヤホンが、ユーザーの耳介における耳甲介腔から外耳道の空間にしっくり嵌り易く、装着感が良好である。
【図面の簡単な説明】
【００１６】
【図１】本発明の第一の実施形態に係るイヤホンを耳介へ装着する手順を表す平面図である。
【図２】同イヤホンを耳介へ装着した状態の左側からの側面図である
【図３】同イヤホンの背面図である。
【図４】同イヤホンの平面断面図（図３のＡ−Ａ線断面矢視図）である。
【図５】同イヤホンの底面図である。
【図６】同イヤホンの右側からの側面斜視図である。
【発明を実施するための形態】
【００１７】
以下、本発明のイヤホンに係る一実施形態を、図面を参照しつつ説明する。以下の説明において前後・左右・上下とは、イヤホンを装着するユーザー（人体）を基準として定義されている。また、イヤホンは左右一対で備えられるが、左右のイヤホンは、左右対称の構成であるので、以下の実施形態では、左側のイヤホン（左の耳介に装着するイヤホン）で、右側のイヤホンの説明を代用する。
【００１８】
図１ないし図３に示すように、イヤホン１は、電子機器端末等（図示しないが、例えば携帯型ミュージックプレーヤー）にコード２を介して接続され、ユーザーの耳介３に装着される。イヤホン１は、ハウジング４と、音導管５と、支持部６とを備えている。
【００１９】
ハウジング４は、略円筒状に形成されており、図４に示すように、ドライバユニット７が内装される。以下、ハウジング４の仮想の円筒中心を第一軸心８と称する。ハウジング４は、第一軸心８に沿う方向で二分割されたハウジング部（符号省略）を組付けることで構成されている。ドライバユニット７は一般的なものであって、振動板を備え、振動板は、電子機器端末から供給される音声信号によって振動される。
【００２０】
音導管５は、略円筒状に形成されており、ハウジング４の一方の側方面９から突設するよう一体的に形成され、先端部１０（図４参照）から外耳道１１へ音を導出する部分である。音導管５は、ハウジング４に比べて小さい径に形成されている。音導管５には、外耳道１１に挿入され弾力性を有するイヤピース１２が着脱自在に装着される。一方の側方面９は、外耳道１１側へ向けて凸となる湾曲面に形成されている。イヤピース１２は、シリコンゴム等から形成されており、柔軟性・弾力性を有する。
【００２１】
以下、音導管５の仮想の円筒中心を第二軸心１３と称する（図４参照）。ハウジング４の第一軸心８、および音導管５の第二軸心１３どうしは略平行で、且つ音導管５は、その第二軸心１３をハウジング４の第一軸心８に対して耳介３の前方側（第一軸心８の長手方向に直交する前後方向における前）へ位置ずれさせていることで、ハウジング４の前方側に位置するよう配置されている。この場合、図４〜図６に示すように、音導管５は、ハウジング４に対して耳介３の前方側へ位置ずれするとともに、さらにその第二軸心１３を第一軸心８に対して下方側へ位置ずれさせていることで、ハウジング４の下方側へも位置ずれするよう配置されている。
【００２２】
ハウジング４の、音導管５を配置した反対側である他方の側方面１４に、耳介３の前方側ほどハウジング４に近付く方向に傾斜する傾斜面１５が形成されている。傾斜面１５は平面であり、本実施形態の場合、傾斜面１５は、コード２を支持するための支持部６の左右方向外側（この場合、左方向外側）の端面である。
【００２３】
支持部６は略円筒状に形成され、他方の側方面１４に一体的に形成されている。コード２は、支持部６を挿通して、ドライバユニット７に電気的に接続されている。以下、支持部６の仮想の円筒中心を第三軸心１６と称する（図４参照）。第三軸心１６、すなわち傾斜面１５の径方向中心を通る中心線は、第一軸心８および第二軸心１３とは平行ではなく、第三軸心１６は、第一軸心８に対して、水平面内で左右方向外側ほど前方に傾斜されている。
【００２４】
上記構成において、ユーザーが、イヤホン１を耳介３に装着するには、図１に示すように、音導管５に装着したイヤピース１２を外耳道１１に位置合わせして、耳甲介腔１７からある程度だけ外耳道１１に挿入する。続いて、斜線を施した矢線で示すように、傾斜面１５を外耳道１１側へ向けて手指で押圧すると、傾斜面１５は、耳介３の前方側ほどハウジング４に近付く方向に傾斜しているから、イヤピース１２が外耳道１１の方向に回動するよう外耳道１１内に導かれ、傾斜面１５が前後方向に沿うように回動する。
【００２５】
イヤピース１２が外耳道１１の内部で回動することで、イヤピース１２が外耳道１１の奥側に押されるような力を受ける。このため、傾斜面１５を外耳道１１へ向けて手指で押圧するという極めて容易な操作で、イヤピース１２が外耳道１１の内部に確実に挿入されて、イヤホン１を耳介３に装着することができる。換言すれば、耳甲介腔という小さな領域でイヤホン１の装着操作をしなくても、傾斜面１５を左右方向外側（この場合左側）から押圧するという簡単な操作で、ユーザーはイヤホン１を耳介３に、確実に装着することができる。
【００２６】
特に、本実施形態の場合、傾斜面１５は、コード２を支持するための支持部６の左右方向外側（この場合、左方向外側）の端面であるから、耳甲介腔から外側に外れた位置で傾斜面１５を押圧することができる。音導管５は、ハウジング４に対して耳介３の前方側へ位置ずれし、且つ下方側へ位置ずれしている。一般に、外耳道１１は耳甲介腔１７の前方且つ下方にあることで、イヤホン１が、ユーザーの耳介３における耳甲介腔１７から外耳道１１の空間にしっくり嵌り易く、装着感も良好である。
【００２７】
そして、ハウジング４および音導管５の第一，第二軸心８，１３どうしは略平行で、且つ音導管５の軸心１３は、ハウジング４の第一軸心８方向に直交する前後方向において、ハウジング４の第一軸心８に対し前方側へ位置ずれされている。この構成によれば、イヤホン１を耳介３に装着した際に、支持部６は耳甲介腔１７に接しにくい状態ととなって支持部６は耳甲介腔１７から側方に向けて突出することから、イヤホン１を耳介３に心地よく装着することができる。
【００２８】
イヤピース１２は、シリコンゴム等から形成されており、柔軟性・弾力性を有する。このため、ユーザーの耳介３にイヤホン１が装着されると、イヤピース１２が外耳道１１の形状に倣うよう変形して外耳道１１に密着し、イヤホン１が極めて容易に外耳道１１から抜け出てしまう、という状態を回避でき、しかも音導管５から導出される音が外部に漏れにくくなる。
【００２９】
音導管５は、ハウジング４に対して耳介３の前方側へ位置ずれするとともに、下方側へ位置ずれするよう配置されており、しかもハウジング４の第一軸心８、および音導管５の第二軸心１３どうしは略平行である。このため、ドライバユニット７からの音にハウジング４内で響きつつ音導管５に導出され、これにより高音質の音を提供できる。
【００３０】
本実施形態のイヤホン１では、傾斜面１５は支持部６の軸心１６に対して略直交する面であり、文字図柄等が表示可能な表示面である。この構成によれば、表示面に文字図柄等を表示でき、しかも支持部６は耳甲介腔１７から側方に向けて突出するから、表示面の文字図柄等が耳介３によって遮られず、文字図柄等を目立たせることができる。
【００３１】
また、音導管５の軸心１３は、ハウジング４の第一軸心８方向に直交する前後方向において、ハウジング４の第一軸心８に対し前方側へ位置ずれされていることで、ハウジング４を耳甲介腔１７に広がるように大型化させても装着の邪魔にならずに違和感がない。そして、ハウジング４に内装するドライバユニットもハウジング４に応じて大型化できるから、音響的に良質なイヤホンが達成できる。
【００３２】
本発明は、上記実施形態に限られるものではなく、本発明の主旨を逸脱しない範囲で種々変形が可能である。その他、各部の具体的構成についても同様である。例えば、上記実施形態では、コード２を支持するための支持部６を備えたイヤホン１について説明した。しかしながら、本発明は、コード２を有せず無線でドライバユニット７を駆動させるコードレスイヤホンにも適用できる。この場合では、傾斜面１５は、ハウジング４の側方面とすればよい。
【００３３】
上記実施形態では、音導管５は、ハウジング４に対して耳介３の前方側へ位置ずれするとともに、下方側へ位置ずれするよう配置された場合を説明した。しかしながら、音導管５は、ハウジング４に対して耳介３の前方側へのみ位置ずれするよう配置されてもよい。また、イヤピース１２は、音導管５とは別体のものを着脱自在に取付ける場合で説明したが、音導管５と一体に形成されていてもよい。
【符号の説明】
【００３４】
１…イヤホン、３…耳介、４…ハウジング、５…音導管、６…支持部、７…ドライバユニット、８…第一軸心、９…一方の側方面、１０…先端部、１１…外耳道、１２…イヤピース、１３…第二軸心、１４…他方の側方面、１５…傾斜面、１６…第三軸心、１７…耳甲介腔
【図１】
2015082824.tif 000003
【図２】
2015082824.tif 000004
【図３】
2015082824.tif 000005
【図４】
2015082824.tif 000006
【図５】
2015082824.tif 000007
【図６】
2015082824.tif 000008